(57)【要約】【課題】所定の露出時間毎にＣＣＤを露出して光電変換し、該光電変換された所定の露出時間毎の画像信号を順次加算し、該加算前の画像信号に基づく画像と加算後の画像信号に基づく画像を表示させるような画像表示方法および装置において、上記画像間の変化を明確に認識することができ、適切な受光時間の画像を得る。【解決手段】光を所定の時間毎に受光して光電変換し、所定の時間毎の画像信号を順次加算し、加算前の画像信号と加算後の画像信号の全てからなる複数の画像信号を得、複数の画像信号に基づく複数の画像Ｖ１、Ｖ２、Ｖ３、…を表示する。【選択図】　　　　　図４
2004128546.tif 000002
【特許請求の範囲】
【請求項１】
光を所定の時間毎に受光して光電変換し、前記所定の時間毎の画像信号を順次加算し、加算前の画像信号と加算後の画像信号の全てからなる複数の画像信号を得、該複数の画像信号に基づく複数の画像を表示することを特徴とする画像表示方法。
【請求項２】
前記複数の画像を前記複数の画像信号が得られた順に追加的に表示することを特徴とする請求項１記載の画像表示装置。
【請求項３】
光を所定の時間毎に受光して光電変換し、前記所定の時間毎の画像信号を順次加算し、加算前の画像信号と加算後の画像信号の全てからなる複数の画像信号を得、該複数の画像信号に基づく複数の画像を表示する画像表示方法において、
前記複数の画像信号が得られる順に該画像信号に複数種類の補正処理のうちの一部の補正処理を施し、該一部の補正処理の施された画像信号に基づいて仮表示用画像を追加的に表示し、
該仮表示用画像が所望の枚数表示された後、前記一部の補正処理が施された複数の画像信号に前記一部以外の補正処理を施し、該一部以外の補正処理の施された複数の画像信号に基づく複数の画像を前記仮表示用画像に置き換えて同時に表示することを特徴とする画像表示方法。
【請求項４】
前記複数の画像と該複数の画像のうちの少なくとも１つ選択された画像とを切り換えて表示することを特徴とする請求項１から３いずれか１項記載の画像表示方法。
【請求項５】
光を所定の時間毎に受光して光電変換する撮像手段と、該撮像手段により光電変換された前記所定の時間毎の画像信号を順次加算して複数の画像信号を経時的に出力する加算手段と、該加算手段から経時的に出力された複数の画像信号を順次記憶する記憶手段と、該記憶手段に記憶された複数の画像信号に基づく複数の画像を表示する表示手段とを備えたことを特徴とする画像表示装置。
【請求項６】
前記表示手段が、前記複数の画像を前記複数の画像信号が得られた順に追加的に表示するものであることを特徴とする請求項５記載の画像表示装置。
【請求項７】
光を所定の時間毎に受光して光電変換する撮像手段と、該撮像手段により光電変換された前記所定の時間毎の画像信号を順次加算して複数の画像信号を経時的に出力する加算手段と、該加算手段から経時的に出力された複数の画像信号を順次記憶する記憶手段と、該記憶手段に記憶された複数の画像信号に基づく複数の画像を表示する表示手段とを備えた画像表示装置において、
前記複数の画像信号に複数種類の補正処理を施す補正手段を有し、
前記補正手段が、前記画像信号が前記記憶手段に記憶される順に該画像信号に複数種類の補正処理のうちの一部の補正処理を施して複数の第１の補正画像信号を生成するとともに、該複数の第１の補正画像信号に前記一部以外の補正処理を施して複数の第２の補正画像信号を生成するものであり、
前記表示手段が、前記第１の補正画像信号が生成される順に該第１の補正画像信号に基づく仮表示用画像を追加的に表示するとともに、前記仮表示用画像が所望の枚数表示された後、前記複数の第２の補正画像信号に基づく複数の画像を前記仮表示用画像に置き換えて同時に表示するものであることを特徴とする画像表示装置。
【請求項８】
前記表示手段に表示された複数の画像のうちの少なくとも１つを選択可能な画像選択部を有し、
前記表示手段が、前記複数の画像と前記画像選択部により選択された画像とを切り換えて表示するものであることを特徴とする請求項５から７いずれか１項記載の画像表示装置。
【発明の詳細な説明】
【０００１】
【発明の属する技術分野】
本発明は、光を受光して光電変換し、該光電変換された画像信号に基づいて画像を表示する画像表示方法および装置に関するものである。
【０００２】
【従来の技術】
従来より、ＣＣＤなどにより被写体を撮像することにより画像信号を得、該画像信号に基づいて可視画像をモニタに表示する技術が種々の分野で利用されている。
【０００３】
生化学分野においては、生体由来の物質の構造または特性を解析するシステムに上記のような技術が利用されている。たとえば、スライドガラス板やメンブレンフィルタの担体表面上の異なる位置にリガンドまたはレセプタを固定し、抗原などで標識されたレセプタまたはリガンド（以下、標識レセプタまたは標識リガンドという）をハイブリダイゼーションなどによって、担体表面上に固定されたリガンドまたはレセプタと特異的に結合させ、続いて、標識レセプタまたは標識リガンドを標識している抗原などの物質に対する抗体を、酵素のように化学発光を生じさせる標識物質で標識し（以下、酵素標識抗体という）、この酵素標識抗体を標識レセプタまたは標識リガンドの抗原と特異的に結合させ、さらに酵素標識抗体の酵素と特異的に結合する化学発光基質を接触させて、化学発光基質と酵素との接触によって生ずる可視光波長領域の化学発光をＣＣＤなどにより光電変換して画像信号として得、この画像信号に基づく可視画像をモニタ表示することにより抗原などの生体由来の物質を解析するシステムが提案されている。
【０００４】
ここで、上記のようなシステムにおいては、ＣＣＤにより検出される化学発光は非常に微弱なものであるため、生体由来の物質の適切な解析を行うためには、比較的長い露出時間でＣＣＤにより化学発光を受光して光電変換し、十分な光量に応じた画像信号に基づく可視画像を表示する必要がある。一方、上記露出時間が長過ぎるとＣＣＤから出力される画像信号が飽和してしまうため、可視画像における詳細部分の解析が困難となる。したがって、適切な露出時間で光電変換された画像信号に基づく可視画像を得る必要があるが、そのために従来は、比較的短い所定の露出時間毎にシャッターを切って光電変換し、該光電変換された所定の露出時間毎の画像信号を順次加算し、該加算前の画像信号に基づく画像と加算後の画像信号に基づく画像を順次画面を切り換えて別個に表示させ、その中から上記解析に適切な画像を選択するようにしていた。
【０００５】
【特許文献１】
特開平１０−１７８５８５号公報
【０００６】
【発明が解決しようとする課題】
しかしながら、上記のように複数の画像について、それぞれ画面を切り換えて別個に表示したのでは、上記画像間の変化を明確に認識することができず、適切な露出時間に応じた画像を選択して表示させることが困難であった。
【０００７】
本発明による画像表示方法および装置は、上記のような事情に鑑み、上記解析システムのように、所定の露出時間毎にシャッターを切って光電変換し、該光電変換された所定の露出時間毎の画像信号を順次加算し、該加算前の画像信号に基づく画像と加算後の画像信号に基づく画像を表示させるような画像表示方法および装置において、上記画像間の変化を明確に認識することができ、適切な露出時間に応じた画像を得ることができる画像表示方法および装置を提供することを目的とするものである。
【０００８】
【課題を解決するための手段】
本発明の第１の画像表示方法は、光を所定の時間毎に受光して光電変換し、所定の時間毎の画像信号を順次加算し、加算前の画像信号と加算後の画像信号の全てからなる複数の画像信号を得、複数の画像信号に基づく複数の画像を表示することを特徴とする。
【０００９】
ここで、上記「所定の時間毎の画像信号を順次加算する」とは、たとえば、上記所定の時間を１０秒とし、受光開始から受光開始１０秒後までに受光され光電変換された画像信号をＳ１、受光開始１０秒後から受光開始２０秒後までに受光され光電変換された画像信号をＳ２、受光開始２０秒後から受光開始３０秒後までに受光され光電変換された画像信号をＳ３、受光開始３０秒後から受光開始４０秒後までに受光され光電変換された画像信号をＳ４とした場合、まず、Ｓ１にＳ２を加算し、次にＳ１＋Ｓ２にＳ３を加算し、次にＳ１＋Ｓ２＋Ｓ３にＳ４を加算することをいい、上記「複数の画像信号」とは、Ｓ１、Ｓ１＋Ｓ２、Ｓ１＋Ｓ２＋Ｓ３およびＳ１＋Ｓ２＋Ｓ３＋Ｓ４からなるものをいう。
【００１０】
また、上記第１の画像表示方法においては、複数の画像を複数の画像信号が得られた順に追加的に表示するようにすることができる。
【００１１】
本発明の第２の画像表示方法は、光を所定の時間毎に受光して光電変換し、所定の時間毎の画像信号を順次加算し、加算前の画像信号と加算後の画像信号の全てからなる複数の画像信号を得、その複数の画像信号に基づく複数の画像を表示する画像表示方法において、複数の画像信号が得られる順に該画像信号に複数種類の補正処理のうちの一部の補正処理を施し、その一部の補正処理の施された画像信号に基づいて仮表示用画像を追加的に表示し、その仮表示用画像が所望の枚数表示された後、上記一部の補正処理が施された複数の画像信号に上記一部以外の補正処理を施し、その一部以外の補正処理の施された複数の画像信号に基づく複数の画像を仮表示用画像に置き換えて同時に表示することを特徴とする。
【００１２】
ここで、上記「一部の補正処理」とは、たとえば、比較的演算処理が簡易で短い時間で行うことができる補正処理をいい、具体的には、ダークフレーム補正や画素欠陥補正処理などがある。また、上記「一部以外の補正処理」とは、たとえば、比較的演算処理が複雑で処理時間が長い補正処理をいい、具体的には、レンズ歪補正やシェーディング補正などがある。
【００１３】
また、上記第１および第２の画像表示方法においては、複数の画像とその複数の画像のうちの少なくとも１つ選択された画像とを切り換えて表示するようにすることができる。
【００１４】
本発明の第１の画像表示装置は、光を所定の時間毎に受光して光電変換する撮像手段と、撮像手段により光電変換された所定の時間毎の画像信号を順次加算して複数の画像信号を経時的に出力する加算手段と、加算手段から経時的に出力された複数の画像信号を順次記憶する記憶手段と、記憶手段に記憶された複数の画像信号に基づく複数の画像を表示する表示手段とを備えたことを特徴とする。
【００１５】
また、上記第１の画像表示装置においては、表示手段を、複数の画像信号が得られた順に複数の画像を追加的に表示するものとすることができる。
【００１６】
本発明の第２の画像表示装置は、光を所定の時間毎に受光して光電変換する撮像手段と、撮像手段により光電変換された所定の時間毎の画像信号を順次加算して複数の画像信号を経時的に出力する加算手段と、加算手段から経時的に出力された複数の画像信号を順次記憶する記憶手段と、記憶手段に記憶された複数の画像信号に基づく複数の画像を表示する表示手段とを備えた画像表示装置において、複数の画像信号に複数種類の補正処理を施す補正手段を有し、補正手段が、画像信号が記憶手段に記憶される順に該画像信号に複数種類の補正処理のうちの一部の補正処理を施して複数の第１の補正画像信号を生成するとともに、その複数の第１の補正画像信号に上記一部以外の補正処理を施して複数の第２の補正画像信号を生成するものであり、表示手段が、第１の補正画像信号が生成される順に第１の補正画像信号に基づく仮表示用画像を追加的に表示するとともに、仮表示用画像が所望の枚数表示された後、複数の第２の補正画像信号に基づく複数の画像を仮表示用画像に置き換えて同時に表示するものであることを特徴とする。
【００１７】
また、上記第１および第２の画像表示装置においては、表示手段に表示された複数の画像のうちの少なくとも１つを選択可能な画像選択部を有するものとし、表示手段を、複数の画像と画像選択部により選択された画像とを切り換えて表示するものとすることができる。
【００１８】
【発明の効果】
本発明の第１の画像表示方法および装置によれば、光を所定の時間毎に受光して光電変換し、所定の時間毎の画像信号を順次加算し、加算前の画像信号と加算後の画像信号の全てからなる複数の画像信号を得、複数の画像信号に基づく複数の画像を表示するようにしたので、複数の画像の画像間の変化を明確に認識することができ、適切な受光時間の画像を把握することができる。
【００１９】
また、上記第１の画像表示方法および装置において、複数の画像を複数の画像信号が得られた順に追加的に表示するようにした場合には、所望の画像信号の大きさの画像が表示された時点で画像表示を中止するようにすることができるので無駄な画像表示を行うことを回避することができる。
【００２０】
本発明の第２の画像表示方法および装置によれば、複数の画像信号が得られる順に該画像信号に複数種類の補正処理のうちの一部の補正処理を施し、その一部の補正処理の施された画像信号に基づいて仮表示用画像を追加的に表示し、その仮表示用画像が所望の枚数表示された後、上記一部の補正処理が施された複数の画像信号に上記一部以外の補正処理を施し、その一部以外の補正処理の施された複数の画像信号に基づく複数の画像を仮表示用画像に置き換えて同時に表示するようにしたので、たとえば、上記一部の補正処理を比較的演算処理が簡易で短い時間で行うことができる補正処理とし、上記一部以外の補正処理を比較的演算処理が複雑で処理時間が長い補正処理とすれば、より早く仮表示用画像を表示させることができるとともに、最終的には良好な画質の画像を表示させることができる。
【００２１】
また、上記第１および第２の画像表示方法および装置において、複数の画像とその複数の画像のうちの少なくとも１つ選択された画像とを切り換えて表示するようにした場合には、複数の画像間の変化を明確に認識することができるとともに適切な受光時間の画像を選択し、たとえば、その選択された画像を拡大して表示するなどすれば詳細な画像解析などに適切な画像を得ることができる。
【００２２】
【発明の実施の形態】
以下、本発明の具体的な実施の形態について図面を用いて説明する。図１および図２は、本発明の画像表示方法を実施する画像表示装置の一実施形態を利用した化学発光画像表示装置の概略構成図である。
【００２３】
本化学発光画像表示装置は、上述したような生体由来の物質の構造や特性を解析するためのものであり、担体表面上のリガンドまたはレセプタに、抗原などで標識されたレセプタまたはリガンドを特異的に結合させ、酵素標識抗体を上記標識レセプタまたは標識リガンドの抗原と特異的に結合させ、酵素標識抗体と化学発光基質を接触させることによって生ずる可視光波長領域の化学発光をＣＣＤなどにより光電変換して画像信号として得、その画像信号に基づく可視画像をモニタに表示するものである。
【００２４】
本化学発光画像表示装置は、図１に示されるように撮像手段１、暗箱２およびパーソナルコンピュータ３から構成されている。
【００２５】
撮像手段１は、図２に示すように、化学発光を受光して光電変換し、化学発光の強度に応じた画像信号を出力するＣＣＤ１１、ＣＣＤ１１の前面に配置されたシャッタ１２、ＣＣＤ１１により所定の露出時間受光され光電変換された画像信号をＣＣＤ１１から出力させるＣＣＤ駆動回路１４、ＣＣＤ駆動回路手段１４から読み出された画像信号をデジタル化するＡ／Ｄ変換器１６、およびＡ／Ｄ変換器１６によってデジタル化された画像信号を一時的に記憶する画像信号バッファ１８を備えている。また、上記各手段をパーソナルコンピュータ３からの信号に基づいて制御する制御手段２０を備えている。
【００２６】
暗箱２との間に形成された開口部にはガラス板３０が設けられている。また、ＣＣＤ撮像装置１の周囲には放熱のための放熱フィン３２が形成されている。そして、ガラス板３０の暗箱２側の面には、レンズフォーカス調整機能を有するカメラレンズ３４が設けられている。
【００２７】
そして、図３に示すように、暗箱２内にはサンプル４０を設置するサンプルプレート４１が設けられている。本実施形態におけるサンプル４０は、担体表面上のリガンドまたはレセプタに、抗原などで標識されたレセプタまたはリガンドを特異的に結合させ、酵素標識抗体を上記標識レセプタまたは標識リガンドの抗原と特異的に結合させ、酵素標識抗体と化学発光基質を接触させたものである。
【００２８】
パーソナルコンピュータ３は、撮像手段１を制御するＣＰＵを有する本体４、本体４のＣＰＵの制御により撮像手段１から出力された画像信号に基づいて可視画像を表示するモニタ５、および本体４に所定の信号入力を行うためのキーボード６とマウス７を備えている。そして、本体４は、撮像手段１から出力された所定の露出時間毎の画像信号を加算して複数の画像信号を経時的に出力する加算手段８と、加算手段８から出力された画像信号を順次記憶する記憶手段９、および記憶手段９に記憶された画像信号に複数種類の補正処理を施す補正手段１０を備えている。
【００２９】
次に、本実施形態の化学発光画像表示装置の作用について説明する。
【００３０】
まず、ユーザーによりサンプル４０がサンプルプレート４１上に載置される。その後、ユーザによりカメラレンズ３４を用いてレンズフォーカス調整がなされ、レンズフォーカスが完了すると暗箱２が閉じられる。その後、ユーザーがキーボード６により露出開始信号を入力すると、その露出開始信号は撮像手段１の制御手段２０に入力され、制御手段２０によりシャッタ１６が開かれてＣＣＤ１１が露出される。
【００３１】
そして、サンプル４０の化学発光基質から発せられた化学発光が、カメラレンズ３４を介して撮像手段１のＣＣＤ１１の受光面に結像される。ＣＣＤ１１は受光面に結像された像を光電変換して蓄積する。
【００３２】
予め設定された所定の露出時間が経過するとＣＣＤ駆動回路１４がＣＣＤ１１からＡ／Ｄ変換器１６に蓄積信号を転送させ、Ａ／Ｄ変換器１６においてデジタル化し、その画像信号を画像データバッファ１８に一時的に記憶させる。なお、所定の露出時間毎の蓄積信号を出力させる際には、電子シャッターにより露出を制御するようにしてもよいし、上記シャッター１６により露出を制御するようにしてもよい。ＣＣＤ駆動回路１４はＣＣＤ１１から上記所定の露出時間毎の画像信号を順次出力させ、画像データバッファ１８に出力する。そして、画像データバッファ１８に一時的に記憶された所定の露出時間毎の画像信号は順次本体４における加算手段８に出力される。そして、加算手段８は、入力された所定の露出時間毎の画像信号を順次加算し、該加算された画像信号を順次記憶手段９に記憶する。たとえば、上記所定の露出時間が予め１０秒に設定されている場合には、まず、露出開始から露出開始１０秒後までの１０秒間の露出に応じた画像信号が加算手段８に入力され、加算手段８はこの場合０に上記画像信号を加算して画像信号Ｓ１として記憶手段９に出力し、記憶される。そして、次に加算手段８には露出開始１０秒後から露出開始２０秒後までの１０秒間の露出に応じた画像信号Ｓ２が入力され、このとき加算手段８は記憶手段９に記憶された画像信号Ｓ１と画像信号Ｓ２を加算して画像信号Ｓ１＋Ｓ２を記憶手段９に記憶する。さらに、次に加算手段８には露出開始２０秒後から露出開始３０秒後までの１０秒間の露出に応じた画像信号Ｓ３が入力されるが、このとき加算手段８は記憶手段９に記憶された画像信号Ｓ１＋Ｓ２に画像信号Ｓ３を加算し、画像信号Ｓ１＋Ｓ２＋Ｓ３を記憶手段９に記憶する。上記のようにして加算手段８は順次入力される所定の露出時間毎の画像信号を順次加算し、その画像信号を記憶手段９に出力して記憶する。
【００３３】
そして、記憶手段９に記憶された画像信号Ｓ１、Ｓ１＋Ｓ２、Ｓ１＋Ｓ２＋Ｓ３、…は記憶手段９に記憶される順に補正手段１０に入力され、まず、補正手段１０において画像信号Ｓ１に複数種類の補正処理のうち一部の補正処理のみが施され、その第１の補正画像信号Ｔ１は補正手段１０におけるメモリ（図示せず）に記憶されるとともに、画像処理手段（図示せず）で所定の画像処理が施された後、モニタ５に出力される。ここで、上記一部の補正処理とは、演算処理が比較的軽い補正処理であり、たとえば、ダークフレーム補正処理や画素欠陥補正処理などが施される。そして、モニタ５は上記所定の画像処理の施された第１の補正画像信号Ｔ１に基づく仮表示用画像Ｖ１を表示する。このとき、第１の補正画像信号Ｔ１に基づく仮表示用画像Ｖ１は、図４に示すように、Ｐ１の位置に表示される。なお、仮表示用画像Ｖ１における丸印の画像が化学発光基質から発せられた化学発光に基づく画像である。また、図４においては、斜線部の部分が黒色で表示され、斜線の無い部分が白色で表示されるものとする。また、丸印の実線の太さが太い画像ほど黒く表示され、破線の丸印の画像は最も細い実線の丸印の画像よりも白く表示される。
【００３４】
次に、補正手段１０には画像信号Ｓ１＋Ｓ２が入力され、上記と同様にして一部の補正処理が施された後、第１の補正画像信号Ｔ２がメモリに記憶されるとともに、画像処理手段（図示せず）で所定の画像処理が施された後、モニタ５に出力される。そして、モニタ５は上記所定の画像処理の施された第１の補正画像信号Ｔ２に基づく仮表示用画像Ｖ２を表示する。このとき、仮表示用画像Ｖ２はＰ２の位置に表示される。さらに、補正手段１０には画像信号Ｓ１＋Ｓ２＋Ｓ３が入力され、上記と同様にして一部の補正処理が施された後、第１の補正画像信号Ｔ３がメモリに記憶されるとともに、画像処理手段（図示せず）で所定の画像処理が施された後、モニタ５に出力される。そして、モニタ５は上記所定の画像処理の施された第１の補正画像信号Ｔ３に基づく仮表示用画像Ｖ３を表示する。このとき、仮表示用画像Ｖ３はＰ３の位置に表示される。上記と同様にして順次仮表示用画像が左から右へと時系列で表示されていき、４つの仮表示用画像が１行目に表示されると、次の下の行に移って、上記と同様に仮表示用画像が左から右へと時系列で表示される。そして、図４に示すように、仮表示用画像Ｖ１から仮表用加算画像Ｖ１６までが表示された際には、次の仮表示用画像Ｖ１７は再びＰ１の位置に仮表示用画像Ｖ１と置き換えられて表示され、次の仮表示用画像Ｖ１８はＰ２の位置に仮表示用画像Ｖ２と置き換えられて表示され、順次前に表示された仮表示用画像と置き換えられて表示されていく。なお、本実施形態では１画面内に最大１６個の仮表示用画像を表示するようにしたが、その数はこれに限らず、複数であれば如何なる数でもよい。ただし、適切な露出時間に応じた仮表示用画像が選択可能な程度の数の仮表示用画像を表示することが望ましい。
【００３５】
そして、操作者がキーボード６またはマウス７からの信号入力により露出ストップの信号を入力したとき、コンピュータ３のＣＰＵからの制御信号によりＣＣＤ１１の露出がストップするとともに、ＣＣＤ駆動回路１４による画像信号の出力がストップする。一方、このとき、補正手段１０においては、メモリに記憶した第１の補正画像信号Ｔ１、Ｔ２、Ｔ３、…に対して、上記一部以外の補正処理が施される。このとき施される補正処理は演算処理が比較的重いものであり、たとえば、レンズ歪補正（ディストーション補正）、フラットフレーム補正（シェーディング補正）などである。そして、第１の補正画像信号Ｔ１、Ｔ２、Ｔ３、…についてそれぞれ上記のような補正処理が施された第２の補正画像信号Ｕ１、Ｕ２、Ｕ３、…は、画像処理手段において所定の画像処理が施された後、モニタ５に出力され、モニタ５は入力された所定の画像処理の施された第２の補正画像信号Ｕ１、Ｕ２、Ｕ３、…に基づいて複数の画像を表示する。このとき、第２の補正画像信号Ｕ１、Ｕ２、Ｕ３、…に基づく画像はそれぞれ対応した仮表示用画像Ｖ１、Ｖ２、Ｖ３、…に置き換えられて同時に表示される。
【００３６】
上記化学発光画像表示装置によれば、光を所定の時間毎に受光して光電変換し、所定の時間毎の画像信号を順次加算し、加算前の画像信号と加算後の画像信号の全てからなる複数の画像信号を得、複数の画像信号に基づく複数の画像を表示するようにしたので、複数の画像の画像間の変化を明確に認識することができ、適切な受光時間の画像を得ることができる。
【００３７】
また、複数の画像を複数の画像信号が得られた順に追加的に表示するようにしたので、所望の画像信号の大きさの画像が表示された時点で画像表示を中止するようにすることができるので無駄な画像表示を行うことを回避することができる。
【００３８】
また、複数の画像信号が得られる順に該画像信号に複数種類の補正処理のうちの一部の補正処理を施し、その一部の補正処理の施された画像信号に基づいて仮表示用画像を追加的に表示し、その仮表示用画像が所望の枚数表示された後、上記一部の補正処理が施された複数の画像信号に上記一部以外の補正処理を施し、その一部以外の補正処理の施された複数の画像信号に基づく複数の画像を仮表示用画像に置き換えて同時に表示するようにしたので、より早く仮表示用画像を表示させることができるとともに、最終的には画質の良好な画像を表示させることができる。
【００３９】
なお、上記実施形態においては、まず、一部の補正処理（ダークフレーム補正処理やスポット補正処理など）を施した第１の補正画像信号に基づく仮表示用画像を所望の数だけ表示した後、上記一部以外の補正処理（レンズ歪補正処理やフラットフレーム補正処理など）を施した第２の補正画像信号に基づく画像を表示するようにしたが、これは仮表示用画像の表示の際にはできるだけ補正処理を軽くし、次の仮表示用画像の表示をできるだけ早くするためであり、このような要求がなければ必ずしも上記のような補正処理の施し方を採用しなくてもよい。たとえば、各画像信号について上記全ての補正処理を施し、該補正処理の施された画像信号に基づく画像を順次追加的に表示するようにしてもよいし、全ての画像信号について上記全ての補正処理を施した後、複数の画像を同時に表示するようにしてもよい。
【００４０】
また、図４に示すように、たとえば、四角枠画像ＳＴなどのような特定の画像を選択する画像選択部を設け、この四角枠画像ＳＴにより選択された画像だけを拡大して表示するようにしてもよい。たとえば、図５（ａ）に示すように、まずは最全面に追加的に表示された複数の画像を表示し、その複数の画像のうちの上記四角枠画像ＳＴにより選択された画像について拡大されたものを上記複数の画像の後ろに表示しておき、上記拡大された画像についてのタグ画像ＴＧ２をマウス７によりクリックすることにより上記複数の画像を上記拡大された画像に切り換えるようにすればよい。また、逆に複数の画像についてのタグ画像ＴＧ１をマウス７によりクリックすれば、再び最全面に複数の画像が表示されるようにすればよい。上記のように複数の画像とその複数の画像のうちの少なくとも１つ選択された画像とを切り換えて表示するようにすれば、複数の画像間の変化を明確に認識することができるとともに、適切な受光時間の画像を選択し、その選択された画像を拡大して表示するようにしたので詳細な画像解析などに適切な画像を得ることができる。
【００４１】
また、上記実施形態においては、サンプル４０として、化学発光するものを用い、この化学発光をＣＣＤにより検出するようにしたが、サンプル４０として、励起光の照射により蛍光を発する蛍光標識物質によって標識された生体由来の物質をメンブレンフィルタに結合させたものを用い、蛍光標識物質から発せられた蛍光を検出するようにしてもよい。この場合、図６に示すように、暗箱２内におけるサンプル４０の斜め上方に、励起光を発する第一の青色ＬＥＤ光源４２および第二の青色ＬＥＤ光源４３を設けるようにすればよい。第一の青色ＬＥＤ光源４２および第ニの青色ＬＥＤ光源の上面には、それぞれフィルタ４４およびフィルタ４５が設けられている。フィルタ４４，４５は励起光の波長帯域付近の光のみを透過し、それ以外の波長帯域の光をカットするものである。また、さらにサンプルプレート４１を励起光を透過する材料からなるものとし、サンプル４０の下方に青色ＬＥＤ光源を設け、下方からも励起光を照射するようにしてもよい。また、カメラレンズ３４に励起光の波長帯域の光をカットするフィルタを設けるようにしてもよい。
【図面の簡単な説明】
【図１】本発明の画像表示方法を実施する画像表示装置の一実施形態を利用した化学発光画像表示装置の概略構成図
【図２】図１に示す化学発光画像表示装置における撮像手段の概略構成図
【図３】図１に示す化学発光画像表示装置における暗箱の縦断面図
【図４】図１に示す化学発光画像表示装置におけるモニタでの表示方法を説明する図
【図５】図１に示す化学発光画像表示装置におけるモニタでのその他の表示方法を説明する図
【図６】その他の実施形態の化学発光画像表示装置における暗箱の従断面図
【符号の説明】
１　　撮像手段
２　　暗箱
３　　パーソナルコンピュータ
４　　本体
５　　モニタ
６　　キーボード
７　　マウス
８　　加算手段
９　　記憶手段
１０　　補正手段
１１　　ＣＣＤ
１２　　シャッタ
１４　　ＣＣＤ駆動回路
１６　　Ａ／Ｄ変換器
１８　　画像信号バッファ
２０　　制御手段
３２　　放熱フィン
３４　　カメラレンズ
４０　　サンプル
４１　　サンプルトレイ
４２　　第一の青色ＬＥＤ光源
４３　　第二の青色ＬＥＤ光源
４４、４５　　フィルタ
【図１】
2004128546.tif 000003
【図２】
2004128546.tif 000004
【図３】
2004128546.tif 000005
【図４】
2004128546.tif 000006
【図５】
2004128546.tif 000007
【図６】
2004128546.tif 000008